(57)【要約】  【課題】  軸組材同士の接合を簡単に行え、かつ、強固な接合状態の得られる接合金具を提供する。  【解決手段】  互いに接合する一対の軸組材の一方の軸組材の端面に設けたスリット７に嵌挿する、平板状の接合板２と、該接合板２の基端に設け、しかも、他の一方の前記軸組材に設けた受入穴１０に嵌合して止着杆８で止着する取付片３とで構成する。そして、前記接合板２に前記一方の軸組材を通じて嵌挿する結合杆１２の貫通孔５を設けると共に、前記取付片３に前記他の一方の軸組材に嵌挿して仮止めする嵌合棒３ｂを突設し、該嵌合棒３ｂを取り囲んで前記他の一方の軸組材に止着する止着杆８の貫通孔９を設ける。【選択図】    図１
2008057326.tif 000002
【特許請求の範囲】
【請求項１】
互いに接合する一対の軸組材の一方の軸組材の端面に設けたスリットに嵌挿する、平板状の接合板と、該接合板の基端に設け、しかも、他の一方の前記軸組材に設けた受入穴に嵌合して止着杆で止着する取付片とで構成し、前記接合板に前記一方の軸組材を通じて嵌挿する結合杆の貫通孔を設けると共に、前記取付片に前記他の一方の軸組材に嵌挿して仮止めする嵌合棒を突設し、該嵌合棒を取り囲んで前記他の一方の軸組材に止着する止着杆の貫通孔を設けた、軸組材用接合金具。
【請求項２】
接合板の相対する側縁の少くも一方に、一方の軸組材にスリットと直交させて埋設した係止杆が係合する切欠を設けた、請求項１記載の軸組材用接合金具。
【発明の詳細な説明】
【技術分野】
【０００１】
本発明は、木造建物の軸組材用接合金具に関するものである。
【背景技術】
【０００２】
近年、木造建物においてもコンクリート建物と同様に改装が行われるようになっているが、それはあくまでも間取りの変更や壁面の改装等で、軸組材の取替は常態的に行われていない。
【０００３】
もっとも、軸組材、例えば柱が老朽化したとき、これを取替える発想はあり、柱の場合は荷重が負荷されるからジャッキアップすなわちジャッキ装置によって荷重を受けた状態にして取替えるようにする方法は考えとしては知られている（例えば、特許文献１）。
【０００４】
【特許文献１】特開２００１−１９３２８７号公報（第６頁左欄）
【発明の開示】
【発明が解決しようとする課題】
【０００５】
前記の方法は、ジャッキ装置をいわば柱の代りとして横架材（梁や桁や土台）間に介在させ、老朽化した当該柱を取り除き、新たな柱を横架材間に介在させる方法を採るものであるが（文献１はこの点までの説明はない）、ジャッキ装置を用いるため、軸組間の壁材を除去する必要があり（文献１では除去するようになっている）、従って、取替工事そのものが大掛りとなり、人員を要するのみならず不必要な付帯工事を必要とし、費用も嵩むことになる。
【０００６】
本発明は、比較的低廉に行うことができる、軸組材の取替工事に用いるに好適な接合金具を提供すべく創案したのである。
【課題を解決するための手段】
【０００７】
互いに接合する一対の軸組材の一方の軸組材の端面に設けたスリットに嵌挿する、平板状の接合板と、該接合板の基端に設け、しかも、他の一方の前記軸組材に設けた受入穴に嵌合して止着杆で止着する取付片とで構成し、前記接合板に前記一方の軸組材を通じて嵌挿する結合杆の貫通孔を設けると共に、前記取付片に前記他の一方の軸組材に嵌挿して仮止めする嵌合棒を突設し、該嵌合棒を取り囲んで前記他の一方の軸組材に止着する止着杆の貫通孔を設けた構成とするのである。
【発明の効果】
【０００８】
本発明は前記の通りの構成であるから軸組材に設けた係合穴に取付片を単に嵌合してこれを止着杆で止着するだけ軸組材に止着することができるから、軸組材に係合穴を開けるだけで強固な取付け状態を得られ、軸組材との組付けを簡単に行える接合金具を提供できる。
【実施例】
【０００９】
図面は本発明に係る接合金具を軸組の取替方法に適用した実施例を示し、図１は縦断面図、図２は横断面図、図３は第二実施例の一部欠截正面図、図４は図３の拡大縦断面図、図５は第三実施例の一部欠截正面図、図６は図５の拡大縦断面図である。
【００１０】
以下、軸組の取替方法の実施例を説明しつつ、本発明に係る接合金具を説明することとする。
【第一実施例】
【００１１】
第一実施例は、一対の柱１，１と該柱１，１間に介在させた梁を備えた既設の軸組の、前記柱１，１の相対向面１ａ，１ａにおける前記梁の近傍に接合金具Ａを突設することを第一工程として得たものである。
【００１２】
接合金具Ａは、接合板２と該接合板２の基端面に熔接して設けた取付片３，３，３とで構成し、この接合金具Ａの接合板２は上下両側縁に、前記梁に代る新梁６の端面に設けたスリット７に直交する方向にして設けた切欠４，４と該切欠４，４間に設けた一対の貫通孔５，５を備え、また、この接合板２とで接合金具Ａを構成する取付片３は円板状の止着部片３ａの中央に嵌合棒３ｂを突設して構成し、止着部片３ａには前記嵌合棒３ｂを取り囲むようにして止着杆８貫通用の貫通孔９，９を設けて構成したものである。
【００１３】
そして、前記柱１，１（一方の柱は図示省略してある）の相対向面１ａの図示省略した前記既設の梁の近傍に、接合金具Ａの前記取付片３に対応する位置にして市販の座堀錐で受入穴１０を設け、該受入穴１０の中央の深い穴部１０ｂに嵌合棒３ｂ部を嵌挿するようにして深い穴部１０ｂを取り囲むようにして形成した、受入穴１０の浅い穴部１０ａに止着部片３ａを嵌合し、貫通孔９を通じて止着杆８を（実施例ではねじ釘）柱１に埋入させて取付片３を柱１に止着するようにして接合金具Ａを前記対向面１ａより接合板２において突設するのである。
【００１４】
なお、嵌合棒３ｂは図示のようにその周側をローレット加工しておくと、受入穴１０の深い穴部１０ｂの壁面に確実に接触して、柱１に対する組付け状態を維持して、次段の前記止着杆８による止着操作を容易に行うことができる（実施例の場合は、３個の受入穴１０，１０，１０乃至取付片３，３，３を用いているのでそれ程問題にならないが、単一な受入穴１０乃至取付片３を用いる場合は、柱１に対する接合金具Ａの、この仮止め状態はきわめて有効である）。
【００１５】
柱１，１と共に既設の軸組を構成する梁に代る前記新設の梁（新梁）６の端面中央には前記接合板２と対応するようにして前記スリット７を設けておき、このスリット７と直交する方向にして接合板２に設けた前記切欠４，４および貫通孔５，５と対応するようにして通孔１１，１１，１１，１１を設け、該通孔１１，１１，１１，１１中の最上位の通孔１１（図面上、符号１１Ａで示す）に第一結合杆１２を嵌挿して新梁６端部に組付けておき（概し、工場で行う）、この第一結合杆１２を組付けた新梁６を、前記スリット７部を柱端面より突設した接合板２（接合金具Ａ）に一致させて、荷重を負荷させて柱対向面１ａに沿わせて移動させると、新梁６はその端部に設けた前記第一結合杆１２が接合板２の切欠４の奥端に係止した位置においてその移動が停止され、柱１，１間に設置され、予め、一致する関係で設けて配置された貫通孔５と通孔１１、および他の切欠４（の奥端部）と通孔１１のそれぞれに第一結合杆１２と同様の、ドリフトピンで成る第二結合杆１２´を嵌挿、打込むことによって新梁６は端部において柱１に止着され、柱１，１間に架設され、前記第一工程に続く次段の工程である第二工程を終える。
【００１６】
そして、次いで、新設の梁６の近傍に位置する既設の梁を切断して取り除くことにより梁の取替作業を終える。
【００１７】
胴差と梁や桁との軸組における梁や桁の取替にも同手順で、同様の接合金具Ａを用いて行うことができる。
【００１８】
なお、実施例の梁６は接合金具Ａ（接合板２）に対して該接合金具Ａの下側から組付けるようにしても良く、図１の図面上、下側に位置する切欠４は、このためのもので、この場合、新梁６に予め組付けた最下位の第二結合杆１２´（図１、１２´Ａで図示）は、前記第一結合杆１２に代るものとなって前記下側の切欠４に係止して新梁６の柱１，１間への係合作業の、いわば位置決め的な機能をすることになる。結合杆１２´を切欠４の奥端に係止させた後、互いに一致する残余の貫通孔５と通孔１１に結合杆１２，１２´を嵌挿、打込むことは前記と同様である。
【００１９】
新梁６を柱１に突設した接合金具Ａにその下側から組付ける場合は符号１２´Ａで示す第二結合杆１２´の新梁６に対する組付けを省略しても良く（位置決め機能を期待せずに）、いずれにしても、該第二結合杆（符号１２´Ａで示す）１２´以外の結合杆１２，１２´のいずれか一つの結合杆１２又は１２´を、新梁６を接合金具Ａに組合わせて当該新梁６に嵌挿、打込むことにより、該打込んだ結合杆１２又は１２´によって新梁６は該一つの結合杆１２又は１２´を介して接合金具Ａに支持させることになり、その結果、新梁６のクレーン等による支持状態は必要となくなり、残余の他の結合杆１２´又は１２の嵌挿、打込み作業を円滑に行うことができる。
【００２０】
接合金具Ａの取付片３の嵌合棒３ｂは、受入穴１０の深い穴部１０ｂにいわば密嵌して接合金具Ａの柱１に対する組付け状態を維持するものであるが、この嵌合棒３ｂの柱１への埋入によって梁６側から負荷される荷重に対する耐荷重性能を増大させることができる。
【第二実施例】
【００２１】
第一実施例が、柱１，１と梁とで既設の軸組構成したものであるに対し、土台１３と図示省略した梁や桁などの横架材および柱とで既設の軸組を構成し、柱１４を新軸組材としたものである。
【００２２】
そして、本実施例の場合は、図示省略した梁と前記土台１３に第一実施例と同様に受入穴１０を設け、該受入穴１０の各部分１０ａ，１０ｂに取付片３を嵌合して接合金具Ａａを土台１３と梁に止着して接合板２を土台１３と梁の相対向面１３ａより突設し、新設の柱１４の端部に設けたスリット７に前記接合板２を係合させ（相対的に）、接合板２に設けた貫通孔５とこれに一致する通孔１１に接合杆１２Ａを嵌挿、打込んで、既設の軸組の柱の近傍で、新柱１４を土台１３と横架材間に設置、止着した後、既設の柱を取り除く（通常は切断）ことによって図示の組付け状態を得たものである。
【００２３】
この第二実施例で用いる接合金具Ａａは、第一実施例と接合板２の態様が、柱１４端部側に設けた通孔１１と一致する貫通孔５のみを設けた点だけが異なるだけで残余の点は同一符合で示す通り、ほぼ同様である。
【００２４】
なお、柱１４側に設けたスリット７（もとより、これに対応する土台側の接合板２ｂ）を土台１３の長手方向に沿わせて設けてあるのは、土台１３や柱を介在して相対する内外の壁材の一方のみを取り除くことによって当該柱１４を土台１３と横架材間に介在させて当該新柱１４を土台１３の長手方向に移動させてスリット７と接合板２ｂを係合させるためであって、このような配置関係によって、前記の通り、内外の壁材の一方側のみを取り除くことによって柱の取替作業を行うことができるのである。
【００２５】
図１９は基礎コンクリートである。
【第三実施例】
【００２６】
図５および図６で示す第三実施例は、既設の軸組の土台１３に対する接合金具Ａａに対する突設作業に、補強板１６の組付け作業を含ませた点が第二実施例と異なるだけで、残余は第二実施例と同様である。すなわち、この実施例は、第二実施例と同様に土台１３と図示省略した横架材の相対向面１３ａに接合金具Ａａを止着して接合板２を突設した後、中央に設けた長孔１７に前記接合板２を貫通させるようにして前記補強板１６を土台１３等に止着した取付片３に重ね合わせ、該補強板１６の透孔１８を通じて止着杆８Ａを土台１３や横架材に埋入させて接合金具Ａの取付片３の土台１３等に対する固定状態を補強したものである。
【００２７】
この実施例の場合は、土台１３等より補強板１６が突出しているので該補強板１６間（土台１３側と横架材側との）に新柱１４を介在させる際には、新柱１４の補強板１６側に位置する端部の隅角部（端面の一端縁）を、ハンマーなどで叩打して丸みをつけるとその作業が容易になる。
【００２８】
残余の点は、第一、第二の実施例と同様であるので説明は省略する。
【図面の簡単な説明】
【００２９】
【図１】縦断面図。
【図２】横断面図。
【図３】第二実施例の一部欠截正面図。
【図４】図３の拡大縦断面図。
【図５】第三実施例の一部欠截正面図。
【図６】図５の拡大縦断面図。
【符号の説明】
【００３０】
１      柱
２      接合板
３      取付片
３ｂ    嵌合棒
５      貫通孔
６      新梁
７      スリット
８      止着杆
１０    受入穴
１３    土台
１４    新柱
【図１】
2008057326.tif 000003
【図２】
2008057326.tif 000004
【図３】
2008057326.tif 000005
【図４】
2008057326.tif 000006
【図５】
2008057326.tif 000007
【図６】
2008057326.tif 000008